(57)【要約】【課題】  信号の歪みを修正するための方法を提供する。【解決手段】  方法は、ディジタル入力信号値を読み込むステップと、読み込まれたディジタル入力信号値に基づきディジタル出力信号値を決定するステップと、信号処理経路にディジタル出力信号値を出力するステップと、を備え、前記ディジタル入力信号値に関する前記信号処理経路による信号処理の所定の系統誤差が補償されるように、前記ディジタル出力信号値が決定される。【選択図】図２
2009159612.tif 000002
【特許請求の範囲】
【請求項１】
信号の歪みを修正するための方法であって、
（ａ）ディジタル入力信号値を読み込むステップと、
（ｂ）読み込まれたディジタル入力信号値に基づきディジタル出力信号値を決定するステップと、
（ｃ）信号処理経路にディジタル出力信号値を出力するステップと、を備え、
前記ステップ（ｂ）において、前記ディジタル入力信号値に関する前記信号処理経路による信号処理の所定の系統誤差が補償されるように、前記ディジタル出力信号値が決定されることを特徴とする方法。
【請求項２】
前記所定の系統誤差が、前記信号処理経路の伝達関数により決定されることを特徴とする請求項１に記載の方法。
【請求項３】
前記信号処理経路の伝達関数が、ステップ（ａ）〜（ｃ）を実行するのに先立って計測されていることを特徴とする請求項２に記載の方法。
【請求項４】
前記ディジタル出力信号値が、ルックアップテーブルの形態で提供されることを特徴とする請求項１ないし３の何れか一項に記載の方法。
【請求項５】
前記ディジタル入力信号値が、前記ルックアップテーブルにおけるインデックス値として用いられることを特徴とする請求項４に記載の方法。
【請求項６】
前記所定の系統誤差が、少なくとも一つの、ディジタル信号値のアナログ信号への変換の系統誤差を含むことを特徴とする請求項１ないし５の何れか一項に記載の方法。
【請求項７】
前記ディジタル信号値のアナログ信号への変換の前記系統誤差が、オフセットエラー、線形性エラーおよび／または単調性エラーを含むことを特徴とする請求項６に記載の方法。
【請求項８】
さらに、
（ｄ）前記ディジタル出力信号値をアナログ信号に変換するステップを備えたことを特徴とする請求項１ないし７の何れか一項に記載の方法。
【請求項９】
前記所定の系統誤差が、少なくとも一つの、前記ディジタル出力信号から取得されるアナログ信号の利得の系統誤差を含むことを特徴とする請求項１ないし８の何れか一項に記載の方法。
【請求項１０】
前記アナログ信号の利得の系統誤差が、非線形歪みを含むことを特徴とする請求項９に記載の方法。
【請求項１１】
さらに、
（ｅ）前記ディジタル出力信号値から得られたアナログ信号を増幅するステップを含むことを特徴とする請求項１ないし１０の何れか一項に記載の方法。
【請求項１２】
前記ディジタル入力信号値が、オーディオ信号であることを特徴とする請求項１ないし１１の何れか一項に記載の方法。
【請求項１３】
信号の歪みを修正するための装置（１００）であって、
ディジタル入力信号値（１０）を読み込むための手段（１１０）と、
既に読み込まれたディジタル入力信号値（１０）に基づきディジタル出力信号値（２０）を決定するための手段（１２０）であって、前記ディジタル入力信号値（１０）に関する信号処理経路による引き続いて行なわれる信号処理の所定の系統誤差が補償されるように、前記ディジタル出力信号値（２０）を決定する手段（１２０）と、
信号処理経路に、前記ディジタル出力信号値を出力するための手段（１３０）と、を備えたことを特徴とする装置。
【請求項１４】
前記ディジタル出力信号値（２０）を決定するための手段（１２０）において、複数のディジタル出力信号値（２０）が、ルックアップテーブル（１２００）の形態で提供されることを特徴とする請求項１３に記載の装置。
【請求項１５】
前記ディジタル出力信号値（２０）を決定するための手段（１２０）に設けられたルックアップテーブル（１２００）が、ディジタル入力信号値（１０）に基づくインデックスであることを特徴とする請求項１４に記載の装置。
【請求項１６】
前記装置がマイクロコントローラであることを特徴とする請求項１３なし１５の何れか一項に記載の装置。
【請求項１７】
さらに、クロック信号により偶然に悪影響を与えられることを主として防止するシールド（２００、２１０）を備えたことを特徴とする請求項１３ないし１６の何れか一項に記載の装置。
【請求項１８】
前記シールドが、金属ハウジング（２００）を含むことを特徴とする請求項１７に記載の装置。
【請求項１９】
ディジタルオーディオ信号を処理するための装置であって、
ディジタルオーディオ信号を、信号の歪みを修正するための装置（１００）に供給するための手段（３００）と、
前記手段（３００）に接続された、前記請求項１３ないし１８の何れか一項に記載された信号の歪みを修正するための装置（１００）と、
信号の歪みを修正するための前記装置（１００）により出力されたディジタル出力信号（２０）を処理するための信号処理経路（４００、５００）と、備えたことを特徴とする装置。
【請求項２０】
前記装置が、ＣＤプレーヤ、ＤＶＤプレーヤ、プリアンプリファイヤ、フルアンプリファイヤ、サラウンドプロセッサ、ディジタルチューナ、ＤＶＢＴチューナ、ＤＡＢチューナ、ＳＡＣＤプレーヤ、或いは、ＨＤ−ＤＶＤプレーヤであることを特徴とする請求項１９に記載の装置。
【請求項２１】
請求項１９或いは２０に記載されたディジタルオーディオ信号を処理するための装置のための提供方法であって、
（ａ）信号処理経路に、所定のテスト信号を提供するステップと、
（ｂ）前記テスト信号に基づき、前記信号処理経路により生成された出力信号を決定するステップと、
（ｃ）前記テスト信号および前記出力信号に基づき、前記信号処理経路上の系統誤差を決定するステップと、
（ｄ）ディジタル入力信号値に関する前記信号処理経路の決定された系統誤差が、ディジタル出力信号値により補償されるように、ディジタル入力信号値とディジタル出力信号値との間の関連付けを決定するステップと、
（ｅ）信号の歪みを修正するための装置に、決定された関連付けを提供するステップと、を備えたことを特徴とする方法。
【請求項２２】
前記所定の系統誤差が、前記信号処理経路の伝達関数により決定されることを特徴とする請求項２１に記載の方法
【請求項２３】
前記関連付けが、ルックアップテーブルの形態で提供されることを特徴とする請求項２１、２２に記載の方法。
【発明の詳細な説明】
【技術分野】
【０００１】
本発明は、信号の歪みを修正するための装置および方法、および、信号の歪みを修正するための装置の提供方法に関する。
【背景技術】
【０００２】
オーディオ信号およびビデオ信号は、今日、一般にはディジタルの形態で格納される。たとえば、典型的な記憶媒体は、ＣＤやＤＶＤであるが、他の所望のディジタルデータ記憶媒体も信号の格納に適している。しかしながら、ディジタル信号が再生されるときに、ディジタル信号は、アナログ信号に戻されるよう変換される。たとえば、ＣＤから読み出されたディジタルオーディオ信号は、増幅に先立ってアナログ信号に変換される。この変換は、従来技術において知られているディジタル／アナログコンバータ（Ｄ／Ａコンバータ）により実行される。
【発明の概要】
【発明が解決しようとする課題】
【０００３】
このようなＤ／Ａコンバータは、特に、線形性エラー（linearity errors）、単調性エラー（monotonicity
errors）およびオフセットエラーなどのエラーを有する。換言すれば、Ｄ／Ａコンバータのアナログ出力にて出力されるアナログ信号を、ディジタル入力信号と比較すると、典型的には、アナログ出力が常にいわゆるオフセット電圧と称される最小限の電圧を有し、かつ、Ｄ／Ａコンバータからの出力の特性は、非線形であり、必然的に単調性を有していないことが見出される。このようなエラーの結果、Ｄ／Ａコンバータのアナログ出力にて出力される信号は、ディジタル入力信号に対して歪んでいる。さらに、信号の歪みは、たとえば、引き続いて行なわれるアナログオーディオ信号の増幅の結果として生じる。したがって、出力アナログ信号は、ディジタルデータ記憶媒体から読み出されたディジタル信号と比較して歪んでいる。このような歪みは、たとえば、オーディオ信号において聞き取れる可能性があり、このため、本来の音響の改悪された再生を引き起こす可能性がある。
【０００４】
上述した従来技術の不利について、本発明は、請求項１に記載したような方法、および、請求項１３に記載したような装置を提案する。さらに、本発明は、請求項１９に記載したようなディジタルオーディオ信号を処理するための装置、および、請求項２１に記載したような装置の提供方法を提案する。本発明のさらなる態様、効果および詳細は、従属項、明細書および添付した図面において特定される。
【課題を解決するための手段】
【０００５】
本発明の第１の典型的な態様によれば、ディジタル入力信号値が読み込まれ、読み込まれたディジタル入力信号値に基づきディジタル出力信号値が決定され、信号処理経路にディジタル出力信号値が出力される、信号の歪みを修正するための方法が提供される。この場合に、前記ディジタル入力信号値に関する前記信号処理経路による信号処理の所定の系統誤差が補償されるように、前記ディジタル出力信号値が決定される。
【０００６】
上記修正方法により、下流の信号処理経路における既知の系統誤差を補償することが可能となる。この場合に、読み込まれたディジタル入力信号値が、下流の信号処理経路を通過してこの場合に系統的に生じる誤差にさらされた後の、、ディジタル入力値に対応する（アナログ）出力信号に至るディジタル出力信号により置き換えられる。したがって、信号処理経路における系統誤差の認識は、系統誤差を既に考慮した信号処理経路に与えられたディジタル信号により用いられる。したがって、ディジタル信号経路から出力される信号は、本来の入力信号に対応する。
【０００７】
さらに典型的な態様によれば、所定の系統誤差は、前記信号処理経路の伝達関数により決定される。たとえば、前記信号処理経路の伝達関数は、上記修正方法を実行するのに先立って計測され得る。
【０００８】
さらに他の典型的な態様によれば、前記ディジタル出力信号値は、ルックアップテーブルの形態で提供される。特に、この場合に、前記ディジタル入力信号値は、前記ルックアップテーブルにおけるインデックス値として用いられ得る。
【０００９】
これにより、演算が不要であるため、修正方法を特に高速に実行することが可能となる。この場合に、信号処理経路における系統誤差についての情報は、全てルックアップテーブルにおいてコード化される。
【００１０】
さらに本発明の典型的な態様においては、前記所定の系統誤差は、少なくとも一つの、ディジタル信号値のアナログ信号への変換の系統誤差を含む。特に、前記ディジタル信号値のアナログ信号への変換の前記系統誤差が、オフセットエラー、線形性エラーおよび／または単調性エラーを含み得る。ある典型的な態様においては、方法は、また、前記ディジタル出力信号値のアナログ信号への変換を備える。
【００１１】
最初に既に述べたように、ディジタル入力信号は、たとえば、ラウドスピーカを経た音響として出力可能なように、最終的には、アナログ出力信号に順番に変換されなければならない。したがって、ディジタル信号からアナログ信号への変換は、系統誤差が生じ得るような典型的な応用例である。
【００１２】
本発明のある発展形によれば、前記所定の系統誤差は、少なくとも一つの、前記ディジタル出力信号から取得されるアナログ信号の利得の系統誤差を含み得る。特に、この場合に、前記アナログ信号の利得の系統誤差は、非線形歪みを含み得る。したがって、ある典型的な態様によれば、修正方法は、さらに、前記ディジタル出力信号値から得られたアナログ信号の増幅を備え得る。
【００１３】
これにより、入力信号のＤ／Ａ変換における系統誤差に対する補償だけでは無く、引き続いて実行されるアナログ信号の増幅における誤差を補償することも可能となる。これにより、たとえば、音楽などのディジタルオーディオデータに対して、また、最終的にラウドスピーカから出力される音響に対して、たとえばＣＤから読み込まれたオーディオデータにできるだけ類似させることが可能となる。
【００１４】
本発明の他の典型的な態様によれば、信号の歪みを修正するための装置が提供され、この装置は、ディジタル入力信号値を読み込むための手段と、読み込まれたディジタル入力信号値に基づきディジタル出力信号値を決定するための手段を有する。この場合に、前記ディジタル入力信号値に関する信号処理経路による、下流での信号処理の所定の系統誤差が補償されるように、前記ディジタル出力信号値が決定される。さらに、装置は、前記信号処理経路に前記ディジタル出力信号値を出力するための手段を備える。
【００１５】
上述した装置は、装置から下流側に接続された信号処理経路における既知の系統誤差を補償するために使用され得る。この場合に、既に読み込まれたディジタル入力信号が、下流の信号処理経路を通過してこの場合に系統的に生じる誤差にさらされた後の、ディジタル入力値に対応する（アナログ）出力信号に至るディジタル出力信号により置き換えられるように、装置がデザインされる。
【００１６】
したがって、装置は、下流の信号処理経路における系統誤差の認識を利用している。この系統誤差の認識は、シフトされた信号に作用しているエラーが、本来の入力信号に対応する出力信号に至るように、この段階における信号処理経路に与えられたディジタル信号をシフトすることによる。
【００１７】
本発明のある典型的な態様によれば、装置はマイクロコントローラである。しかしながら、本発明は、マイクロプロセッサ或いはディジタル信号プロセッサにより与えられても良い。
【００１８】
本発明のある典型的な態様によれば、クロック信号により装置に偶然に悪影響が与えられることを主として防止するシールドが設けられている。たとえば、シールドは、金属ハウジングを含む。
【００１９】
これにより、高周波のクロック信号の注入を有効に防ぐことが可能となり、したがって、修正装置の動作に不利な悪影響を与えることを防止することが可能となる。
【００２０】
本発明の発展形によれば、修正方法、および、関連する修正装置は、特に、ＣＤプレーヤ、ＤＶＤプレーヤ、プリアンプリファイヤ、フルアンプリファイヤ、サラウンドプロセッサ、ディジタルチューナ、ＤＶＢＴチューナ、ＤＡＢチューナ、ＳＡＣＤプレーヤ、或いは、ＨＤ−ＤＶＤプレーヤにおいて好都合に使用することができる。また、修正方法、および、関連する修正装置は、同様に、ブルーレイ（登録商標）基準に基づくプレーヤのために使用することができる。
【００２１】
本発明のある典型的な態様によれば、ディジタルオーディオ信号を処理するための装置のための提供方法は、信号処理経路に、所定のテスト信号を提供すること、前記テスト信号に基づき、前記信号処理経路により生成された出力信号を決定すること、前記テスト信号および前記出力信号に基づき、前記信号処理経路上の系統誤差を決定すること、ディジタル入力信号値に関する前記信号処理経路の決定された系統誤差が、ディジタル出力信号値により補償されるように、ディジタル入力信号値とディジタル出力信号値との間の関連付けを決定すること、並びに、信号の歪みを修正するための装置に、決定された関連付けを提供すること、を備える。
【００２２】
特に、この場合には、前記所定の系統誤差は、前記信号処理経路の伝達関数により決定され得る。ある態様によれば、前記関連付けは、ルックアップテーブルの形態で提供される。
【００２３】
本発明の典型的な実施の形態を、添付図面を参照して説明する。
【図面の簡単な説明】
【００２４】
【図１】図１は、本発明の典型的な実施の形態に従った修正方法により補償され得る典型的な系統誤差を示す図である。
【図２】図２は、本発明のある典型的な実施の形態にしたがった修正方法の基本的な原理を示す図である。
【図３】図３は、本発明のある典型的な実施の形態にしたがった修正装置の概略を示す図である。
【図４】図４は、本発明の典型的な実施の形態にしたがって利用され得るルックアップテーブルの例を示す図である。
【図５】図５は、本発明のある典型的な実施の形態にしたがった修正装置の側断面図である。
【図６】図６は、本発明のある典型的な実施の形態にしたがった装置のブロックダイヤグラムである。
【図７】図７は、本発明のある典型的な実施の形態にしたがった、図６に示す装置を発展形のブロックダイヤグラムである。
【発明を実施するための形態】
【００２５】
例示として、図１は、本発明の典型的な実施の形態に従った修正方法により補償され得る典型的な系統誤差(systematic error)を示す図である。このケースでは、例示として、Ｄ／Ａ変換に関するエラーの問題を記載するが、原理的には、信号処理の間に生じる他の系統誤差にも適用され得る。
【００２６】
図１において、たとえば、ＣＤから読み出されたディジタルオーディオ信号であるディジタル入力信号の信号値ＩＮは、横軸上にプロットされる。Ｄ／Ａ変換が正確であれば、対応するアナログ出力値は、縦座標上の角の二等分線(angle bisector)Ｗ上に、ディジタル入力値ＩＮを映し出す(mirror)ことにより生成される。出来るだけ正確なＤ／Ａ変換が望ましいため、角の二等分線上に反映される出力値は、名目出力値に対応する。上述したように、実際のＤ／Ａ変換はエラーにさらされる。したがって、Ｄ／Ａ変換は、しばしば、オフセットエラーを有する。すなわち、出力信号は、特定の固定されたオフセット値を経てシフトされる。
【００２７】
さらに、Ｄ／Ａ変換は、また、しばしば、非線形でありまた単調ではない。このことは、図１において、例示的に、伝達関数Ｆにより示している。図１からわかるように、ディジタル信号入力値ＩＮは、Ｄ／Ａ変換の実際の伝達関数Ｆにより、実際の出力値上にマップされる。この実際の出力値は、系統誤差を経てシフトされている。
【００２８】
本発明のある典型的な実施の形態にしたがった修正方法の基本的な原理を、図２を参照して説明する。まず、第１のステップにおいて、アナログの名目出力値を決定するために、ディジタル信号入力値ＩＮが、この場合に、角の二等分線Ｗ上に写し出される。第２のステップにおいて、エラーにさらされている実際の伝達関数Ｆ上の点が決定され、同様に、名目出力値が生成される。シフトされたディジタル出力値ＯＵＴを見出すために、エラーにさらされた実際の伝達関数Ｆ上の点が、横座標上に逆射影される。シフトされたディジタル値ＯＵＴに、Ｄ／Ａ変換が施されると、Ｄ／Ａ変換は、本来の信号入力値ＩＮの名目出力値に対応するアナログの実際の出力値に帰着する。
【００２９】
これにより、シフトされたディジタル値ＯＵＴにより決定された伝達関数Ｆの認識に基づいて、Ｄ／Ａ変換からの系統誤差を補償することができる。特に、ディジタル信号値をアナログ信号に変換する間に生じる、オフセットエラー、線形性エラー、および／または、単調性エラーを補償することが可能となる。
【００３０】
Ｄ／Ａ変換に基づく例として上述した訂正方法は、無論、系統誤差、つまり、理想的な伝達関数からの不一致が知られているような任意の信号処理経路に適用することができる。特に、上述した方法は、ここに例示的に記載した同一性（角の二等分線）より複雑な他の伝達関数にも適用可能である。したがって、上述した修正方法は、任意の所望の信号処理経路による信号処理における所定の系統誤差を補償するために使用することができる。
【００３１】
典型的には、本発明の典型的な実施の形態にしたがった修正方法の場合に、所定の系統誤差は、信号処理経路の伝達関数により決定される。信号処理経路の伝達関数は、たとえば、この目的のためのテスト信号により測定され得る。この場合に、所定のテスト信号は、測定すべき信号処理経路への入力信号として供給され、テスト信号に基づいて信号処理経路により生成された出力信号が測定される。
【００３２】
次いで、信号処理経路上の系統誤差は、たとえば、テスト信号および出力信号を用いて伝達関数に基づいて決定され得る。次いで、ディジタル入力信号に関する信号処理系路上の決定された系統誤差が、ディジタル出力信号値により補償されるように、ディジタル入力信号値と、ディジタル出力信号値との間の上述した関連付けがなされる。本発明のある実施の形態によれば、入力値と出力値との間の関連付けは、ルックアップテーブルの形で提供される。
【００３３】
図３は、本発明のある典型的な実施の形態にしたがった修正装置１００の概略を示す図である。この場合には、信号の歪みを修正するための装置１００は、ディジタル入力信号値１０を読み込むための手段１１０を備える。たとえば、このディジタル入力信号値は、ディジタルオーディオ信号であって良い。さらに、装置１００は、読み込まれたディジタル入力信号値１０に基づいて、ディジタル出力信号値２０を決定するための手段１２０を備える。この場合には、ディジタル入力信号値１０に関する信号処理経路による下流側での信号処理の所定の系統誤差が補償されるように、ディジタル出力信号値２０が決定される。これにより、図１および図２を参照して既に説明したような補償を実行することができる。
【００３４】
さらに、修正装置１００は、信号処理経路にディジタル出力信号値２０を出力するための手段１３０を備える。ディジタル出力信号値を決定するための手段１２０は、マイクロプロセッサ或いはディジタル信号プロセッサの形態をとっていても良いが、典型的には、ディジタル出力信号値を決定するための手段１２０は、マイクロコントローラの形態をとる。
【００３５】
この場合、ある典型的な実施の形態によれば、ディジタル出力信号値を決定するための手段１２０において、複数のディジタル出力信号値２０が、ルックアップテーブルの形で提供される。
【００３６】
この点を、図４を参照して、より詳細に説明する。図４は、本発明の典型的な実施の形態にしたがって利用され得るルックアップテーブル１２００の例を示す図である。この場合に、考えられるディジタル入力信号値１０の各々は、対応するシフトされた出力信号値２０に関連付けられる。これらシフトされた出力信号値２０は、たとえば、信号処理経路の伝達関数Ｆを測定することにより、図２において説明したような手法により見出され得る。
【００３７】
本発明のある実施の形態によれば、ディジタル入力信号値１０は、ルックアップテーブル１２００のためのインデックス値として用いられる。これにより、計算が不要であるため、シフトされた出力信号値２０を、特に迅速かつ容易に関連付けることができる。この場合に、系統誤差および信号処理経路に関する情報が、明確に完全にルックアップテーブル１２００中に存在する。
【００３８】
図５は、本発明のある典型的な実施の形態にしたがった修正装置１００の側断面図である。この場合に、修正装置１００は、マイクロコントローラの形態をとり、接続部１４０によりプリント回路基板１５０に取り付けられる。また、修正装置１００は、主として、修正装置１００に対して偶然に悪影響を与えられることを防止するシールド２００、２１０を備える。特に、高周波のクロック信号の注入(injection)は、修正装置１００の動作に不利な影響を与える。シールドは、プリント回路基板上に配置され、修正装置の５つの面を取り囲む金属ハウジング２００を備える。たとえば、金属ハウジング２００は、銅から作られる。
【００３９】
ある発展形では、プリント回路基板は、多層プリント回路基板、特に、４層プリント回路基板であり、多層のうちの１つが、金属シールド層２１０となっていても良い。これにより、プリント回路基板の側から、たとえば、クロック信号などの望ましくない干渉する信号の注入から、修正装置１００を防護することができる。
【００４０】
図６は、本発明のある典型的な実施の形態にしたがったディジタルオーディオ信号を処理するための装置のブロックダイヤグラムである。この場合に、装置は、ディジタルオーディオ信号を供給するための手段３００を備える。たとえば、このような装置は、ＣＤプレーヤ、ＤＶＤプレーヤ、サラウンドプロセッサ、ディジタルチューナ、ＤＶＢＴチューナ、ＤＡＢチューナ、ＳＡＣＤプレーヤ、および、ＨＤ−ＤＶＤプレーヤにおけるディジタルオーディオデータを読み込む装置であって良い。また、この手段は、同様に、ブルーレイ（登録商標）基準にしたがったプレーヤ内に設けられていても良い。
【００４１】
手段３００は、読み出されたディジタルオーディオ信号１０を、信号の歪みを修正するための装置１００に提供する。さらに、修正装置１００から下流側に信号処理経路４００が接続されている。図６に例示されているように、信号処理経路４００は、アナログオーディオ信号３０を出力するＤ／Ａコンバータである。Ｄ／Ａコンバータの伝達関数Ｆは、たとえば、前もって行なわれた測定から既知となっており、修正装置１００中、ルックアップテーブル１２００に、コード化された形態で格納されている。
【００４２】
読み出し手段３００から修正装置１００に提供されたオーディオ入力信号１０は、修正装置１００によりディジタルオーディオ出力信号２０に変換される。修正装置１００は、ただちに、このディジタルオーディオ出力信号２０を、ディジタルオーディオ出力信号２０をアナログオーディオ信号３０に変換するＤ／Ａコンバータ４００に通す。
【００４３】
Ｄ／Ａコンバータ４００の特有の歪み、たとえば、オフセットエラー、線形性エラー、および／または、単調性エラーは、修正装置１００から出力される出力信号２０において既に考慮されているため、Ｄ／Ａコンバータから出力されるアナログオーディオ信号３０は、ディジタル入力信号１０に対応している。
【００４４】
図７は、本発明の他の典型的な実施の形態にしたがった、図６に示す装置を発展させた装置のブロックダイヤグラムである。この場合に、基本的なデザインは同じであるが、信号処理経路が、Ｄ／Ａコンバータ４００だけではなく、Ｄ／Ａコンバータ４００から出力されたアナログオーディオ信号３０を増幅し、増幅されたオーディオ信号４０を出力する増幅器５００を備える。例示的には、増幅器５００は、フルアンプリファイヤであり、増幅されたオーディオ信号４０をラウドスピーカに出力するものであって良い。
【００４５】
別の典型的な実施の形態では、増幅器５００は、プリアンプリファイヤであり、増幅されたオーディオ信号を、増幅器の出力段階に出力するようにしても良い。何れの場合でも、増幅器５００は、典型的には、増幅範囲の全体にわたって完全に線形に動作することはなく、したがって、増幅された出力信号４０は、アナログ増幅入力信号３０に対して歪みを生じることになる。増幅によって生じるひずみも、それが系統的な性質でありかつ既知である限り、同様に、修正装置１００により考慮され得る。
【００４６】
この場合に、Ｄ／Ａコンバータから出力されるアナログ信号３０ではなく、引き続いて増幅されたアナログ信号４０が、読み出された本来の値１０に対応するように、修正装置１００から出力されるディジタル出力信号２０がシフトされる。これは、最終的に出力されたオーディオ信号４０が、媒体から本来読み込まれたオーディオ信号１０になるべく近くなるよう、或いは、これと一致するように、修正装置１００が、Ｄ／Ａ変換におけるエラーに対するだけではなく、増幅により引き起こされる歪みに対する補償も行い得ることを意味している。
【００４７】
上述した本発明の典型的な実施の形態は、特に、ＣＤプレーヤ、ＤＶＤプレーヤ、プリアンプリアフィヤ、フルアンプリファイヤ、サラウンドプロセッサ、ディジタルチューナ、ＤＶＢＴチューナ、ＤＡＢチューナ、ＳＡＣＤプレーヤ、および、ＨＤ−ＤＶＤプレーヤのために、好都合に使用することができる。修正方法および関連する修正装置は、同様に、ブルーレイ（登録商標）基準にしたがったプレーヤのためにも使用され得る。
【００４８】
本発明が、典型的な実施の形態を参照して説明された。これら典型的な実施の形態は、本発明を限定するために考慮されるものではない。
【符号の説明】
【００４９】
１０      ディジタル入力信号値
２０      ディジタル出力信号値
１００    修正装置
１１０    ディジタル信号入力値を読み込む手段
１２０    ディジタル出力信号値を決定するための手段
１３０    ディジタル出力信号値を出力するための手段
２００    シールド（金属ハウジング）
２１０    シールド
４００    Ｄ／Ａコンバータ
５００    増幅器
１２００  ルックアップテーブル
【図１】
2009159612.tif 000003
【図２】
2009159612.tif 000004
【図３】
2009159612.tif 000005
【図４】
2009159612.tif 000006
【図５】
2009159612.tif 000007
【図６】
2009159612.tif 000008
【図７】
2009159612.tif 000009